(57)【要約】【課題】メモリ性のある画像表示媒体に対して安全かつ確実に画像を記録することができる画像記録装置を提供する。【解決手段】画像記録装置１０は、制御装置１２及び表示装置１４で構成される。制御装置１２は画像表示媒体１５に書き込むべき画像の画像データを表示装置１４へ送信する。表示装置１４は、制御装置１２から送信された画像データに基づく画像をメモリ性を有する画像表示媒体１５に記録する。画像表示媒体１５が接続される接続部３２には着脱機構３４が設けられており、画像表示媒体１５をロックすることができる。制御部２４は、少なくとも画像の記録中は画像表示媒体１５が接続部３２から外れないように着脱機構３４を制御して、画像表示媒体１５をロックする。【選択図】        図１
2004245865.tif 000002
【特許請求の範囲】
【請求項１】
メモリ性を有する画像表示媒体を接続及び解除する接続手段と、
前記接続手段に接続された前記画像表示媒体に前記接続手段を介して画像を記録する記録手段と、
前記接続手段に接続された前記画像表示媒体の解除を禁止するための禁止手段と、
少なくとも画像記録処理中は前記画像表示媒体の解除を禁止するように制御する制御手段と、
を備えた画像記録装置。
【請求項２】
メモリ性を有する画像表示媒体を接続及び解除する接続手段と、
前記接続手段に接続された前記画像表示媒体に前記接続手段を介して画像を記録する記録手段と、
前記接続手段に接続された前記画像表示媒体の解除を禁止するための禁止手段と、
前記画像表示媒体の解除が禁止されている場合は、画像記録処理を許可するように制御する制御手段と、
を備えた画像記録装置。
【請求項３】
前記画像表示媒体の接続状態を検知する検知手段をさらに備え、
前記制御手段は、前記画像表示媒体の接続が検知された場合には、前記画像記録処理を許可し、前記画像表示媒体の解除が検知された場合には、前記画像記録処理を禁止することを特徴とする請求項１又は請求項２記載の画像記録装置。
【請求項４】
前記制御手段は、前記画像記録中に前記画像表示媒体の解除が検知された場合には、前記画像記録処理を中止させることを特徴とする請求項１乃至請求項３の何れか１項に記載の画像記録装置。
【請求項５】
前記画像記録処理は、前記接続手段を介して前記画像表示媒体に画像を記録するための電圧を印加する処理であることを特徴とする請求項１乃至請求項４の何れか１項に記載の画像記録装置。
【請求項６】
前記画像記録処理は、前記制御手段が前記記録手段へ画像データを送出する処理であることを特徴とする請求項１乃至請求項４の何れか１項に記載の画像記録装置。
【請求項７】
前記検知手段による検知結果を報知する報知手段をさらに備えたことを特徴とする請求項３乃至請求項６の何れか１項に記載の画像記録装置。
【請求項８】
前記制御手段は、前記画像記録処理を指示する指示手段及び前記画像表示媒体へ記録すべき画像の画像データを送信する第１の制御手段を含む送信側装置と、前記送信手段から送信された画像データを受信し、且つ前記記録手段を制御する第２の制御手段を含む受信側装置と、で構成され、
前記画像記録処理は、前記第１の制御手段による前記画像データの送信処理を含むことを特徴とする請求項１乃至請求項７の何れか１項に記載の画像記録装置。
【請求項９】
前記画像表示媒体は、少なくとも一方が透光性を有する一対の基板と、前記一対の基板間に印加される電圧により形成される電界に応じて移動可能に前記基板間に封入された少なくとも１種類の粒子群と、を備えた画像表示媒体であり、
前記記録手段は、前記一対の基板間に画像に応じた電圧を印加する電圧印加手段であることを特徴とする請求項１乃至請求項８の何れか１項に記載の画像記録装置。
【請求項１０】
前記画像表示媒体は、透光性を有する一対の基板間に、少なくともメモリ性を有する表示層及び光導電層を積層してなり、且つ画像に応じた光を前記光導電層側から照射しながら所定電圧を前記一対の基板間に印加することにより画像表示が可能な画像表示媒体であり、
前記記録手段は、前記一対の基板間に所定電圧を印加する電圧印加手段であることを特徴とする請求項１乃至請求項８の何れか１項に記載の画像記録装置。
【発明の詳細な説明】
【０００１】
【発明の属する技術分野】
本発明は画像記録装置に係り、特に、メモリ性を有する画像表示媒体に画像を記録する画像記録装置に関する。
【０００２】
【従来の技術】
従来、メモリ性を有し、表示内容を記憶することが可能な画像表示媒体として次のようなものがある。
【０００３】
例えば特許文献１には、白と黒に塗り分けられ且つ黒部と白部で異なる帯電がされた微小球が透明であるシートの中に埋め込まれ、外部電界により微小球が回転することにより白黒表示が出来るものが記載されている。
【０００４】
また、特許文献２には、微小球の帯電が単極帯電となる結果、微小球が電界方向に移動し、壁との吸着により安定、保持するといったものが記載されている。
【０００５】
このように、微小空隙中を球体が移動して表示を行なうものには上記のような単球体のものの他に、例えば特許文献３に記載されているような、多数の粒子が同一空隙中を移動する電気泳動方式のものや磁気泳動方式のものがある。また、特許文献４〜６には、強誘電性液晶を用いた構成の画像表示媒体が記載されている。また、特許文献７には、コレステリック液晶を用いたメモリ性を有する画像表示媒体が記載されている。さらに、特許文献８には、一対の基板間に印加される電圧により形成される電界に応じて移動可能に基板間に封入された少なくとも１種類の粒子群を備えた画像表示媒体が記載されている。
【０００６】
このようなメモリ性を有する画像表示媒体は、表示内容を電力等のエネルギーの供給がなくても表示内容を維持する特徴があるため、特許文献９に記載された強誘電性液晶を用いた画像表示媒体のように、表示を維持したまま画像書込装置等から取り外して使用することも可能である。
【０００７】
また、このようなメモリ性を有する画像表示媒体は、特許文献１０に記載されたように、電子ペーパーとして用いられる場合がある。
【０００８】
【特許文献１】
特開平３−１８８４８９号公報
【特許文献２】
米国特許第５２６２０９８号明細書
【特許文献３】
特開２００２−１６９１９０号公報
【特許文献４】
特許第２５１２２９０号公報
【特許文献５】
特開平５−６１０６１号公報
【特許文献６】
特開平５−２７３５３１号公報
【特許文献７】
特開２００１−１００６６４号公報
【特許文献８】
特開２００２−１６９１９１号公報
【特許文献９】
特開平５−３５２２３号公報
【特許文献１０】
特開２０００−１４８１１６号公報
【０００９】
【発明が解決しようとする課題】
しかしながら、上記従来技術では、画像表示媒体に対して画像を書き込んでいる最中に過って画像表示媒体が外れてしまったり、正しく接続されていない状態で画像の書込処理を行った場合、画像が正しく表示されなかったり、画像表示媒体が壊れる可能性がある、という問題があった。
【００１０】
本発明は、上記問題点を解決すべく成されたものであり、メモリ性のある画像表示媒体に対して安全かつ確実に画像を記録することができる画像記録装置を提供することを目的とする。
【００１１】
【課題を解決するための手段】
上記課題を解決するため、請求項１記載の発明は、メモリ性を有する画像表示媒体を接続及び解除する接続手段と、前記接続手段に接続された前記画像表示媒体に前記接続手段を介して画像を記録する記録手段と、前記接続手段に接続された前記画像表示媒体の解除を禁止するための禁止手段と、少なくとも画像記録処理中は前記画像表示媒体の解除を禁止するように制御する制御手段と、を備えたことを特徴とする。
【００１２】
この発明によれば、接続手段は、メモリ性を有する画像表示媒体を接続及び解除する。メモリ性を有する画像表示媒体とは、可視的に画像を繰り返し書き換えることが可能で、かつ外的な作用を加えなくとも画像表示媒体単体で画像の表示状態を保持することが可能な画像表示媒体をいう。すなわち、画像表示媒体は、接続手段に接続した状態で画像を記録し、その後接続手段に対して接続を解除した後も画像の表示を維持することができる。
【００１３】
このようなメモリ性を有する画像表示媒体としては、例えば請求項９に記載したように、少なくとも一方が透光性を有する一対の基板と、前記一対の基板間に印加される電圧により形成される電界に応じて移動可能に前記基板間に封入された少なくとも１種類の粒子群と、を備えた画像表示媒体や、請求項１０に記載したように、透光性を有する一対の基板間に、少なくともメモリ性を有する表示層及び光導電層を積層してなり、且つ画像に応じた光を例えば前記光導電層側から照射しながら所定電圧の矩形波を前記一対の基板間に印加することにより画像表示が可能な画像表示媒体、その他上記従来技術に記載したような画像表示媒体がある。この場合、接続手段には、画像表示媒体に電圧を印加するための電極接続部が設けられる。
【００１４】
記録手段は、接続手段に接続された画像表示媒体に接続手段を介して画像を記録する。
【００１５】
記録手段は、画像表示媒体が請求項９に記載したような画像表示媒体である場合には、前記一対の基板間に画像に応じた電圧を印加する電圧印加手段となり、請求項１０に記載したような画像表示媒体の場合には、前記一対の基板間に所定電圧を印加する電圧印加手段となる。
【００１６】
この記録手段は、接続手段又は画像表示媒体に設けられていても良く、記録手段の一部が接続手段又は画像表示媒体に設けられていてもよい。この場合、接続手段や画像表示媒体には、例えば画像表示媒体に電圧を印加するための回路や電極、記録すべき画像の画像データを画像表示媒体側に送出するための配線などを設けることができる。
【００１７】
なお、「接続手段を介して画像を記録する」とは、具体的には、接続手段に設けられた電圧印加用の電極接続部を介して画像表示媒体に電圧を印加する場合や、接続手段に設けられた画像データを送出するための電極接続部を介して画像表示媒体側に画像データを送出する場合が含まれる。
【００１８】
禁止手段は、接続手段に接続された画像表示媒体の解除を禁止するためのものであり、例えば接続手段に設けられる。禁止手段は、例えば画像表示媒体を接続手段から解除するときの通常の力を加えた程度では接続手段から解除できない程度に画像表示媒体の解除を禁止する。
【００１９】
そして、制御手段は、少なくとも画像記録処理中は画像表示媒体の解除を禁止するように禁止手段を制御する。
【００２０】
ここで、画像記録処理とは、例えば請求項５に記載したように、前記接続手段を介して前記画像表示媒体に画像を記録するための電圧を印加する処理や、請求項６に記載したように、前記制御手段が前記記録手段へ画像データを送出する処理である。
【００２１】
このように、画像記録処理中は画像表示媒体の解除を禁止するため、画像表示媒体に対して画像を書き込んでいる最中に過って画像表示媒体が外れてしまったりするのを防ぐことができる。従って、画像が正しく表示されなかったり、画像表示媒体が壊れることを防ぐことができ、安全且つ確実に画像表示媒体に画像を記録することができる。
【００２２】
請求項２記載の発明は、メモリ性を有する画像表示媒体を接続及び解除する接続手段と、前記接続手段に接続された前記画像表示媒体に前記接続手段を介して画像を記録する記録手段と、前記接続手段に接続された前記画像表示媒体の解除を禁止するための禁止手段と、を備えたことを特徴とする。
【００２３】
この発明によれば、制御手段は、画像表示媒体の解除が禁止されている場合は、画像記録処理を許可するように制御する。すなわち、例えば外部装置から送信された画像データに基づいて画像を画像表示媒体に記録するような場合には、画像表示媒体の解除が禁止されている場合は、画像記録処理を許可する許可信号を外部装置へ送信するようにする。これにより、外部装置側では、画像表示媒体の解除が禁止されていることを把握することができ、安全かつ確実に画像を記録することができる。
【００２４】
請求項３記載の発明は、前記画像表示媒体の接続状態を検知する検知手段をさらに備え、前記制御手段は、前記画像表示媒体の接続が検知された場合には、前記画像記録処理を許可し、前記画像表示媒体の解除が検知された場合には、前記画像記録処理を禁止することを特徴とする。
【００２５】
この発明によれば、検知手段によって画像表示媒体の接続状態、すなわち画像表示媒体が接続手段に接続されているのか、接続が解除されているのかを検知する。
【００２６】
そして、制御手段は、画像表示媒体の接続が検知された場合には、画像記録処理を許可し、画像表示媒体の解除が検知された場合には、画像記録処理を禁止する。
【００２７】
これにより、画像表示媒体が接続されていないのに画像記録処理を実行してしまったりするのを防ぐことができる。
【００２８】
請求項４記載の発明は、前記制御手段は、前記画像記録中に前記画像表示媒体の解除が検知された場合には、前記画像記録処理を中止させることを特徴とする。
【００２９】
この発明によれば、制御手段は、画像記録中に画像表示媒体の解除が検知された場合には、画像記録処理を中止させるように記録手段を制御するので、画像記録中に過って画像表示媒体が外れてしまった場合でも、画像記録を継続するのを防ぐことができるため、画像表示媒体が壊れたりするのを防ぐことができる。
【００３０】
請求項７記載の発明は、前記検知手段による検知結果を報知する報知手段をさらに備えたことを特徴とする。
【００３１】
この発明によれば、検知手段によって検知結果が報知手段によって報知されるので、画像表示媒体が接続手段に接続されているのか、解除されているのかを容易に認識することができる。なお、検知結果は、音声により報知してもよいし、メッセージを表示手段に表示することにより報知してもよいし、これらを兼用して報知してもよい。
【００３２】
請求項８記載の発明は、前記制御手段は、前記画像記録処理を指示する指示手段及び前記画像表示媒体へ記録すべき画像の画像データを送信する第１の制御手段を含む送信側装置と、前記送信手段から送信された画像データを受信し、且つ前記記録手段を制御する第２の制御手段を含む受信側装置と、で構成され、前記画像記録処理は、前記第１の制御手段による前記画像データの送信処理を含むことを特徴とする。
【００３３】
この発明によれば、制御手段は、送信側装置及び受信側装置で構成されている。送信側装置は、画像記録処理を指示する指示手段及び画像表示媒体へ記録すべき画像の画像データを送信する第１の制御手段を含んで構成され、受信側装置は、送信手段から送信された画像データを受信し、且つ記録手段を制御する第２の制御手段を含んで構成される。すなわち、第２の制御手段は、送信側装置から送信された画像データに基づいて記録手段を制御し、画像を画像表示媒体に記録させる。
【００３４】
そして、画像記録処理は、送信手段による画像データの送信処理を含んでいる。このため、第２の制御手段は、例えば少なくとも画像記録処理中、すなわち送信側装置から画像データが送信されている間は画像表示媒体の解除を禁止するように制御したり、画像表示媒体の解除が禁止されている場合は、画像記録処理、すなわち画像データの送信を許可するように制御することができる。これにより、安全かつ確実に画像表示媒体に画像を記録することができる。
【００３５】
【発明の実施の形態】
（第１実施形態）
以下、図面を参照して本発明の第１実施形態について詳細に説明する。
【００３６】
図１には、本発明が適用された画像記録装置１０のブロック図を示した。図１に示すように、画像記録装置１０は、制御装置１２及び表示装置１４で構成されている。表示装置１４は、制御装置１２から送信された画像データに基づいて画像表示媒体１５に画像を記録する。
【００３７】
制御装置１２は、制御部１６、送受信部１８、操作部２０、表示部２１、及びメモリ２２を含んで構成されている。
【００３８】
送受信部１８は、制御部１６の指示により表示装置１４に画像データを送信したり、各種制御信号の送受信を行う。操作部２０は、画像記録の指示等の各種操作を行うためのものである。表示部２１は、操作結果や警告メッセージ等を表示するためのものである。メモリ２２は、後述する制御ルーチンや画像データ等が記憶される。
【００３９】
表示装置１４は、制御部２４、送受信部２６、記録部２８、表示部２９、メモリ３０、及び接続部３２に設けられた着脱機構３４を含んで構成されている。画像表示媒体１５は、接続部３２に対して着脱可能となっている。
【００４０】
送受信部２６は、制御装置１２の送受信部１８と有線又は無線により接続され、制御装置１２から送信された画像データや各種制御信号を受信したり、制御部２４の指示により各種制御信号の送信を行う。
【００４１】
記録部２８は、制御部２４からの指示により制御装置１２から送信された画像データに基づいて、接続部３２に接続された画像表示媒体１５に対して画像を記録する。表示部２９は警告メッセージ等を表示するためのものである。メモリ３０は、後述する制御ルーチンや受信した画像データ等が記憶される。着脱機構３４は、制御部２４からの指示により、接続部３２に接続された画像表示媒体１５の解除（取り外し）を禁止したり、禁止を解除したりする。すなわち、画像表示媒体１５をロック状態にしたり、ロック状態を解除したりする。
【００４２】
次に、記録部２８及び画像表示媒体１５の構成について説明する。
【００４３】
図２には、記録部２８のブロック図を、図３（Ａ）、（Ｂ）には、画像表示媒体１５の断面図を示した。図３に示すように、画像表示媒体１５は、画像表示側である透明な表示基板３６と、当該表示基板３６と対向し所定間隙を隔てて配置される背面基板３８とを備えている。図４（Ａ）、（Ｂ）には、表示基板３６、背面基板３８の平面図を示した。
【００４４】
画像表示媒体１５は、所謂単純マトリクス駆動方式により駆動されるものである。図３、図４に示すように、表示基板３６の背面基板３８との対向面には複数のライン状の電極（列電極）４０（以下、「列電極」という）が設けられ、同様に、背面基板３８の表示基板３６との対向面にも複数のライン状の電極（行電極）４２（以下、「行電極」という）が設けられている。そして、表示基板３６と背面基板３８とは、互いに設けられた列電極４０と行電極４２とが直交するように対峙して配置される（図２参照）。
【００４５】
また、列電極４０側には絶縁層４４が形成され、行電極４２側には絶縁層４６が各々形成されている。絶縁層４４、４６は例えばポリカーボネート等で構成される。
【００４６】
なお、本実施の形態では、説明の簡略化のために４×４の単純マトリックス構成とし、表示基板３６の４つの列電極４０をそれぞれａ、ｂ、ｃ、ｄとし、背面基板３８の行電極４２をそれぞれｉ、ｉｉ、ｉｉｉ、ｉｖとした。実際には、画像表示に必要な縦横画素数に対応した本数の電極が各基板に形成されることはいうまでもない。また、本実施の形態では、表示基板３６のライン状の電極が列電極であり、背面基板３８のライン状の電極が行電極を形成するように構成したが、これとは逆に表示基板３６に行電極を設け、背面基板３８に列電極を設けた構成であってもよい。
【００４７】
また、列電極４０及び行電極４２は、表示基板３６及び背面基板３８の中に埋め込まれていてもよく、表示基板３６及び背面基板３８の対向する側の面と反対側の面に形成されていてもよく、表示基板３６及び背面基板３８の外側に別個独立に配置されていてもよい。
【００４８】
表示基板３６と背面基板３８との間には、互いに帯電特性の異なる粒子群であって、正に帯電した黒粒子４８と負に帯電した白粒子５０とが封入されている。
【００４９】
また、表示基板３６と背面基板３８との間には間隙部材５２が設けられ、これにより表示基板３６と背面基板３８との間が一定間隔に保たれる。
【００５０】
図２に示すように、画像表示媒体１５は接続部３２に設けられた記録部２８と接続される。具体的には、表示基板３６の列電極４０及び背面基板３８の行電極４２は、それぞれ配線５３、５４を介して列電極駆動回路５５、行電極駆動回路５６に接続されている。
【００５１】
配線５３、５４は、接続部３２に配線され、画像表示媒体１５を接続部３２に接続することにより、配線５３が列電極４０と接続し、配線５４と行電極４２とが行電極４２とが接続するようになっている。この接続部３２に配線された配線５３、５４は図１に示す電極接続部３５として機能する。
【００５２】
列電極駆動回路５５及び行電極駆動回路５６はシーケンサ５８と外部電源６０に接続されている。シーケンサ５８は制御部２４に接続され、制御部２４から入力された画像情報（画像データ）に応じて、列電極駆動回路５５、行電極駆動回路５６に画像情報信号を出力する。
【００５３】
単純マトリックス駆動では、シーケンサ５８から行毎の画像書込み信号（走査信号）が行電極駆動回路５６に送られ、行電極駆動回路５６から背面基板３８の行電極４２に画像書込電圧が順次印加される。同時に、背面基板３８の行電極４２に順次印加される画像書込電圧と同期して、画像書込電圧が印加される行に対応した画像情報信号がシーケンサ５８から列電極駆動回路５５へ送られ、列電極駆動回路５５から表示基板３６の列電極４０に書込み行に対応した画像書込電圧が一斉に印加される。これが１行目から最終行目まで順次行われ、所望の画像が表示されるようになっている。電圧の印加が停止されも、鏡像力により黒粒子４８又は白粒子５０は表示基板３６又は背面基板３８に付着したままとなり、画像表示媒体１５を接続部３２から取り外した後も画像表示が維持される。
【００５４】
着脱機構３４は、画像表示媒体１５の列電極４０と接続部３２の配線５３との接続及び行電極４２と接続部３２の配線５４との接続の解除を禁止することができる。すなわち、着脱機構３４は、画像表示媒体１５の列電極４０及び行電極４２と電極接続部３５との接続の解除を禁止することができる。例えば図５に示すように、着脱機構３４は、一対の挟持部材６２Ａ、６２Ｂで構成することができる。
【００５５】
この挟持部材６２Ａ、６２Ｂは、制御部２４からの指示により図中矢印方向に同時に移動可能であり、挟持部材６２Ａが図５において右方向に、挟持部材６２Ｂが図５において左方向に同時に移動することにより画像表示媒体１５を挟持（ロック）することができ、挟持部材６２Ａが図５において左方向に、挟持部材６２Ｂが図５において右方向に同時に移動することにより画像表示媒体１５を放すことができる。
【００５６】
また、図６に示すように、着脱機構３４を図６において矢印方向に移動可能な棒状の部材としてもよい。この場合、画像表示媒体１５に開口６４に設けておく。開口６４は、画像表示媒体１５を接続部３２に接続したときの着脱機構３４に対応する位置に設けられる。開口６４内を通すように着脱機構３４を図６において右方向に移動させることにより、画像表示媒体１５をロックすることができ、この状態から図６において左方向に着脱機構３４を移動させることにより、ロックを解除することができる。
【００５７】
また、画像表示媒体１５がある程度の固さを有するものであれば、図７に示すように、着脱機構３４を図７において矢印方向に移動可能な棒状の部材とし、画像表示媒体１５に切り欠き６６を設けておく構成としてもよい。切り欠き６６は、画像表示媒体１５を接続部３２に接続したときの着脱機構３４に対応する位置に設けられる。切り欠き６６に着脱機構３４が引っかかるように、着脱機構３４を図７において左方向に移動させることにより、画像表示媒体１５をロックすることができる。また、この状態から図７において右方向に着脱機構３４を移動させることにより、ロックを解除することができる。
【００５８】
なお、制御装置１２は本発明の送信側装置に相当し、表示装置１４は本発明の受信側装置に相当し、制御部１６は本発明の第１の制御手段に相当し、制御部２４は本発明の第２の制御手段に相当し、操作部２０は本発明の指示手段に相当し、表示部２１、２９は本発明の報知手段に相当し、記録部２８は本発明の記録手段に相当し、接続部３２は本発明の接続手段に相当し、着脱機構３４は本発明の禁止手段に相当する。
【００５９】
次に、本実施形態の作用として、制御装置１２の制御部１６で実行される制御ルーチン及び表示装置１４の制御部２４で実行される制御ルーチンについて、図８、９に示すフローチャートを参照して説明する。
【００６０】
まず、制御装置１２の制御部１６で実行される制御ルーチンについて図８に示すフローチャートを参照して説明する。
【００６１】
図８に示す制御ルーチンは、オペレータが操作部２０が所定の操作をすることにより、画像表示媒体１５への画像記録が指示されると実行される。
【００６２】
ステップ１０２では、解除禁止信号を送受信部１８を介して表示装置１４へ送信する。
【００６３】
解除禁止信号は、画像表示媒体１５の接続部３２に対する接続の解除を禁止することを表示装置１４へ要求するための信号である。
【００６４】
ステップ１０４では、送信許可信号を表示装置１４から受信したか否かを判断する。送信許可信号は、画像表示媒体１５へ書き込むべき画像の画像データの送信を許可する旨を制御装置１２へ通知するための信号である。
【００６５】
そして、送信許可信号を受信した場合には、ステップ１０６へ移行し、送信許可信号を受信していない場合には、送信許可信号を受信するまで待機する。すなわち、送信許可信号を受信するまでは画像データの送信が禁止される。
【００６６】
ステップ１０６では、メモリ２２に記憶された画像データを送受信部１８を介して表示装置１４へ送信する。
【００６７】
ステップ１０８では、書込終了信号を受信したか否かを判断する。書込終了信号は、画像データに基づく画像の画像表示媒体１５に対する書込処理が終了したことを制御装置１２に通知するための信号である。
【００６８】
そして、書込終了信号を受信した場合には、ステップ１１０へ移行し、書込終了信号を受信していない場合には、書込終了信号を受信するまで待機する。
【００６９】
ステップ１１０では、解除許可信号を送受信部１８を介して表示装置１４へ送信する。解除許可信号は、接続部３２にロックされた画像表示媒体１５のロックを解除することを要求するための信号である。
【００７０】
なお、各処理を実行していることを表すメッセージを表示部２１に表示させるようにしてもよい。具体的には、例えばステップ１０２において、解除禁止中である旨を表すメッセージを表示部２１に表示したり、ステップ１０４で送信許可信号を受信した場合にはデータ送信可である旨を表すメッセージを表示部２１に表示させたり、ステップ１０６において画像書込中である旨を表すメッセージを表示部２１に表示させたり、ステップ１０８において書込終了信号を受信した場合には、画像の書き込みが終了した旨を表すメッセージを表示部２１に表示させたりする。これにより、オペレータは現在の状態を容易に把握することができる。
【００７１】
次に、表示装置１４の制御部２４で実行される制御ルーチンについて図９に示すフローチャートを参照して説明する。
【００７２】
図９に示す制御ルーチンは、制御装置１２から送受信部２６を介して解除禁止信号を受信すると実行される。
【００７３】
ステップ２０２では、解除禁止処理を行う。すなわち、着脱機構３４を構成する挟持部材６２Ａを図５において右方向に、挟持部材６２Ｂを図５において左方向に同時に移動させることにより画像表示媒体１５を挟持する。これにより、画像表示媒体１５がロックされ、画像記録中に画像表示媒体１５が接続部３２から外されたり、過って外れてしまうのを防ぐことができる。
【００７４】
次のステップ２０４では、送信許可信号を制御装置１２へ送受信部２６を介して送信する。すなわち、画像表示媒体１５がロックされちる場合には、画像データの送信を許可する。これにより、制御装置１２側において、画像表示媒体１５がロックされたことを認識することができる。
【００７５】
ステップ２０６では、制御装置１２から送信された画像データを受信したか否かを判断する。そして、画像データを受信した場合には、ステップ２０８へ移行し、画像データを受信していない場合には、ステップ２１２へ移行する。
【００７６】
ステップ２０８では、受信した画像データを記録部２８へ送信し、画像表示媒体１５へ画像を記録させる。
【００７７】
記録部２８では、画像データが入力されると、前述したように、シーケンサ５８から行毎の画像書込み信号（走査信号）が行電極駆動回路５６に送られ、行電極駆動回路５６から背面基板３８の行電極４２に画像書込電圧が順次印加される。同時に、背面基板３８の行電極４２に順次印加される画像書込電圧と同期して、画像書込電圧が印加される行に対応した画像情報信号がシーケンサ５８から列電極駆動回路５５へ送られ、列電極駆動回路５５から表示基板３６の列電極４０に書込み行に対応した画像書込電圧が一斉に印加される。これが１行目から最終行目まで順次行われ、画像が表示される。
【００７８】
このように画像の記録が終了すると、ステップ２１０において、書込終了信号を送受信部２６を介して制御装置１２へ送信する。これにより、制御装置１２側では、画像の記録が終了したことを認識することができる。
【００７９】
ステップ２１２では、解除許可信号を受信したか否かを判断する。そして、解除許可信号を受信した場合には、ステップ２１４へ移行し、解除許可信号を受信していない場合には、本ルーチンを終了する。
【００８０】
ステップ２１４では、解除処理を行う。すなわち、着脱機構３４を構成する挟持部材６２Ａを図５において左方向に、挟持部材６２Ｂを図５において右方向に同時に移動させることにより画像表示媒体１５を放す。これにより、画像表示媒体１５が接続部３２にロックされた状態を解除することができ、接続部３２から画像表示媒体１５を取り外すことが可能となる。
【００８１】
なお、各処理を実行していることを表すメッセージを表示部２９に表示させるようにしてもよい。具体的には、例えばステップ２０２において、解除禁止処理を行った場合には、画像表示媒体１５がロックされていることを表すメッセージを表示部２９に表示したり、ステップ２０８において画像書込中である旨を表すメッセージを表示部２９に表示させたり、ステップ２１０において画像の書き込みが終了した旨を表すメッセージを表示部２９に表示させたり、ステップ２１４において解除処理を行った場合には、画像表示媒体１５のロックが解除されたことを表すメッセージを表示部２９に表示させたりする。これにより、画像表示媒体１５の現在の状態を容易に把握することができる。
【００８２】
このように、画像書き込み中は画像表示媒体１５をロックするため、画像表示媒体１５に対して画像を書き込んでいる最中に過って画像表示媒体１５が外れてしまったりするのを防ぐことができる。従って、画像が正しく表示されなかったり、画像表示媒体１５が壊れるのを防ぐことができ、安全且つ確実に画像表示媒体１５に画像を記録することができる。
【００８３】
なお、本実施形態では制御装置１２から送信された画像データに基づいて表示装置１４が画像表示媒体１５に画像を記録する場合について説明したが、これに限らず、制御装置１２と表示装置１４とを一体化した構成としてもよい。この場合、画像表示媒体１５がロックされている場合には記録部２８による電圧印加を許可し、ロックされていない場合には記録部２８による電圧印加を禁止するように制御すればよい。又は、ロックされている場合のみ、制御部から記録部へ画像データを送信し、ロックされていない場合には制御部から記録部へ画像データを送信しないことように制御すればよい。
【００８４】
（第２実施形態）
次に、本発明の第２実施形態について説明する。なお、上記実施形態と同一部分には同一符号を付し、その詳細な説明は省略する。
【００８５】
図１０には、本実施形態に係る画像記録装置７０の概略構成を示した。図１０に示すように、画像記録装置７０は、検出手段としての接続検知部７２を備えている点以外は図１に示す画像記録装置１０と同様の構成である。
【００８６】
接続検知部７２は、画像表示媒体１５が接続部３２に接続されているか否かを検知する。例えば、列電極４０が少なくとも一部の配線５３と接触しているかや行電極４２が少なくとも一部の配線５４と接触しているか否かを検知することにより画像表示媒体１５が接続部３２に接続されているか否かを検知することができる。また、画像表示媒体１５が接続部３２に接続された場合にオンし、画像表示媒体１５が接続部３２から取り外された場合にオフするスイッチを接続部３２に設け、このスイッチがオンかオフかにより画像表示媒体１５が接続部３２に接続部されているか否かを検知するようにしてもよい。
【００８７】
次に、本実施形態の作用として、制御装置１２の制御部１６で実行される制御ルーチン及び表示装置１４の制御部２４で実行される制御ルーチンについて、図１１、１２に示すフローチャートを参照して説明する。
【００８８】
まず、制御装置１２の制御部１６で実行される制御ルーチンについて図１１に示すフローチャートを参照して説明する。
【００８９】
図１１に示す制御ルーチンは、オペレータが操作部２０が所定の操作をすることにより、画像表示媒体１５への画像記録が指示されると実行される。
【００９０】
ステップ３０２では、接続確認要求信号を送受信部１８を介して表示装置１４へ送信する。
【００９１】
接続確認要求信号は、画像表示媒体１５が接続部３２に接続されているか否かの確認を表示装置１４へ要求するための信号である。
【００９２】
ステップ３０４では、送信許可信号を表示装置１４から受信したか否かを判断する。送信許可信号は、画像表示媒体１５へ書き込むべき画像の画像データの送信を許可する旨を制御装置１２へ通知するための信号である。
【００９３】
そして、送信許可信号を受信した場合には、ステップ３０６へ移行し、送信許可信号を受信していない場合には、ステップ３１６へ移行する。
【００９４】
ステップ３０６では、メモリ２２に記憶された画像データを送受信部１８を介して表示装置１４へ送信する。
【００９５】
一方、ステップ３１６では、送信禁止信号を受信したか否かを判断する。送信禁止信号は、画像データの送信を禁止する旨を制御装置１２にい通知するための信号である。
【００９６】
そして、送信禁止信号を受信した場合にはステップ３１８へ移行し、送信禁止信号を受信していない場合には、ステップ３０４へ戻る。
【００９７】
ステップ３１８では、警告処理を実行する。具体的には、例えば送信禁止信号を受信した旨を表すメッセージを表示部２１に表示させる。これにより、オペレータは画像表示媒体１５が接続部３２に接続されておらず、画像データの送信ができない状態であることを容易に認識することができる。
【００９８】
ステップ３０８では、書込終了信号を受信したか否かを判断する。書込終了信号は、画像データに基づく画像の画像表示媒体１５に対する書込処理が終了したことを制御装置１２に通知するための信号である。
【００９９】
そして、書込終了信号を受信した場合には、ステップ３１０へ移行し、書込終了信号を受信していない場合には、ステップ３１２へ移行する。
【０１００】
ステップ３１０では、書込終了信号を受信した対応処理として、例えば画像の書き込みが終了したことを表すメッセージを表示部２１に表示させる。これにより、オペレータは画像の書き込みが終了したことを容易に認識することができる。
【０１０１】
ステップ３１２では、中止信号を受信したか否かを判断する。中止信号は、画像の書き込みが途中で中止されたことを制御装置１２へ通知するための信号である。
【０１０２】
そして、中止信号を受信した場合にはステップ３１４へ移行し、中止信号を受信していない場合には、本ルーチンを終了する。
【０１０３】
ステップ３１４では、中止信号を受信した対応処理として、例えば画像の書き込みが途中で中止されたことを表すメッセージを表示部２１に表示させる。これにより、オペレータは画像の書き込みが途中で中止されたことを容易に認識することができ、再度画像の書き込みを指示するなどの対応をとることが可能となる。
【０１０４】
次に、表示装置１４の制御部２４で実行される制御ルーチンについて図１２に示すフローチャートを参照して説明する。
【０１０５】
図１２に示す制御ルーチンは、制御装置１２から送受信部２６を介して接続確認要求信号を受信すると実行される。
【０１０６】
ステップ４０２では、接続検知部７２による検知結果を取り込み、画像表示媒体１５が接続されているか否かを判断する。そして、画像表示媒体１５が接続されていると判断した場合には、ステップ４０４へ移行し、画像表示媒体１５が接続されていないと判断した場合には、ステップ４１８へ移行する。
【０１０７】
ステップ４０４では、解除禁止処理を行う。すなわち、着脱機構３４を構成する挟持部材６２Ａを図５において右方向に、挟持部材６２Ｂを図５において左方向に同時に移動させることにより画像表示媒体１５を挟持する。これにより、画像表示媒体１５がロックされ、画像記録中に画像表示媒体１５が接続部３２から外されたり、過って外れてしまうのを防ぐことができる。
【０１０８】
次のステップ４０６では、送信許可信号を制御装置１２へ送受信部２６を介して送信する。これにより、制御装置１２側において、画像表示媒体１５がロックされたことを認識することができる。
【０１０９】
一方、ステップ４１８では、送信禁止信号を制御装置１２へ送受信部２６を介して送信する。これにより、制御装置１２側において、画像表示媒体１５がロックされていないことを認識することができる。
【０１１０】
ステップ４０８では、制御装置１２から送信された画像データを受信したか否かを判断する。そして、画像データを受信した場合には、ステップ４１０へ移行し、画像データを受信していない場合には、本ルーチンを終了する。
【０１１１】
ステップ４１０では、受信した画像データを記録部２８へ送信し、画像表示媒体１５へ画像を記録させる。
【０１１２】
記録部２８では、画像データが入力されると、前述したように、シーケンサ５８から行毎の画像書込み信号（走査信号）が行電極駆動回路５６に送られ、行電極駆動回路５６から背面基板３８の行電極４２に画像書込電圧が順次印加される。同時に、背面基板３８の行電極４２に順次印加される画像書込電圧と同期して、画像書込電圧が印加される行に対応した画像情報信号がシーケンサ５８から列電極駆動回路５５へ送られ、列電極駆動回路５５から表示基板３６の列電極４０に書込み行に対応した画像書込電圧が一斉に印加される。これが１行目から最終行目まで順次行われ、画像が表示される。
【０１１３】
また、記録部２８により画像記録処理を行っているときに、制御部２４は定期的に接続検知部７２からの検知結果を取り込み、画像表示媒体１５が接続されているか否かを判断する。そして、画像表示媒体１５が外されていると判断した場合には、画像の記録を中止するよう記録部２８に指示する。これにより、画像表示媒体１５が何らかの理由で外された場合に画像の書き込みを続けてしまうのを防ぐことができる。
【０１１４】
画像の記録が終了すると、ステップ４１２において、画像の書き込みが正常終了したか否かを判断する。そして、画像の書き込みが正常終了した場合には、ステップ４１４へ移行し、正常終了していない場合には、ステップ４２０へ移行する。
【０１１５】
ステップ４１４では、画像の書き込みが正常終了したことを表す書込終了信号を送受信部２６を介して制御装置１２へ送信する。これにより、制御装置１２側では、画像の記録が正常終了したことを認識することができる。
【０１１６】
一方、ステップ４２０では、画像の書き込みが正常終了せず、途中で中止されたことを表す中止信号を送受信部２６を介して制御装置１２へ送信する。これにより、制御装置１２側では、画像の記録が正常終了せず途中で中止されたことを認識することができ、再度画像データの書き込みを指示する等の措置をとることが可能となる。
【０１１７】
ステップ４１６では、解除処理を行う。すなわち、着脱機構３４を構成する挟持部材６２Ａを図５において左方向に、挟持部材６２Ｂを図５において右方向に同時に移動させることにより画像表示媒体１５を放す。これにより、画像表示媒体１５が接続部３２にロックされた状態を解除することができ、接続部３２から画像表示媒体１５を取り外すことが可能となる。
【０１１８】
なお、各処理を実行していることを表すメッセージを表示部２９に表示させるようにしてもよい。具体的には、例えばステップ４０４において、解除禁止処理を行った場合には、画像表示媒体１５がロックされていることを表すメッセージを表示部２９に表示したり、ステップ４１０において画像書込中である旨を表すメッセージを表示部２９に表示させたり、ステップ４１４において画像の書き込みが正常終了した旨を表すメッセージを表示部２９に表示させたり、ステップ４２０において画像の書き込みが中止された旨を表すメッセージを表示部２９に表示させたり、ステップ４１６において解除処理を行った場合には、画像表示媒体１５のロックが解除されたことを表すメッセージを表示部２９に表示させたりする。これにより、画像表示媒体１５の現在の状態を容易に把握することができる。
【０１１９】
このように、画像表示媒体１５が接続部３２に接続されているか否かを検知し、接続されている場合には画像データの送信を許可し、接続されていない場合には画像データの送信を禁止するので、画像表示媒体１５が接続されていない状態で過って画像の書き込みを実行してしまうのを防ぐことができる。これにより、安全且つ確実に画像表示媒体１５に画像を記録することができる。
【０１２０】
また、制御装置１２側では、画像データの送信が禁止されている場合には、警告表示を行うので、速やかに画像表示媒体１５が接続されていないことを認識することができ、作業の効率を大幅に向上させることができる。
【０１２１】
なお、上記実施形態では、記録部２８が表示装置１４側に設けられた場合について説明したが、記録部２８が接続部３２に設けられた構成としてもよく、記録部２８の一部が接続部３２に設けられた構成としてもよい。
【０１２２】
また、図１４に示すように、記録部２８が画像表示媒体１５側に設けられた構成としてもよい。さらに、記録部２８の一部が画像表示媒体１５側に設けられた構成としてもよい。例えば、図１５に示すように、列電極駆動回路５５及び行電極駆動回路５６が画像表示媒体１５側に設けられた構成としてもよい。
【０１２３】
（第３実施形態）
次に、本発明の第３実施形態について説明する。なお、上記実施形態と同一部分には同一符号を付し、その詳細な説明は省略する。本実施形態では、画像表示媒体１５及び記録部２８の他の形態について説明する。
【０１２４】
図１３には、本実施形態に係る画像表示媒体８０の断面図及び記録部２８の概略構成を示した。画像表示媒体８０は、画像に応じたパターンの光を照射しながら所定電圧を印加することにより画像を表示することができる画像表示媒体である。
【０１２５】
図１３に示すように、画像表示媒体８０はシート状に形成されており、一対の基板８２間に挟まれた光感応性層である光導電層８４、及び遮光層（光吸収層）８６、及び表示層８８とから構成される。また、光導電層８４は電荷発生層８４Ａ、電荷輸送層８４Ｂ、電荷発生層８４Ｃの各層をこの順に積層して構成される。
【０１２６】
一対の基板８２は、例えば片面にＩＴＯ（酸化インジウム錫）電極８３を対向面にそれぞれ備えたＰＥＴフィルムからなる。表示層８８は、メモリ性のある表示素子からなる層であり、例えば正の誘電異方性を有するコレステリック液晶により構成される。
【０１２７】
記録部２８は、制御部２４から入力された画像データに応じたパターンの光信号を画像表示媒体８０に露光しながら所定電圧を印加することにより画像を書き込むための装置である。
【０１２８】
図１３に示すように、記録部２８は、駆動制御部９０、電圧印加部９２、光パターン照射部９３を含んで構成されている。光パターン照射部９３は、パターン生成部９４及び光源部９６を含んで構成されている。
【０１２９】
電圧印加部９２は、駆動制御部９０からの指示により、画像表示媒体８０のＩＴＯ電極８３に所定電圧の駆動パルスを印加して画像表示可能状態にする。電圧印加部９２としては、例えば、ＲＯＭのような波形記憶部とＤＡ変換部とを有し、ＲＯＭから読み出した波形をＤＡ変換して駆動パルスを生成したり、パルス発生回路のような電気回路的な方式でパルスを発生させるように構成できる。
【０１３０】
パターン生成部９４は、駆動制御部９０からの指示により、制御部２４からの画像データに応じたパターンを生成する。
【０１３１】
光源部９６は、パターン生成部９４において生成されたパターンを光のパターンとして画像表示媒体８０の光導電層８４側から照射する。
【０１３２】
パターン生成部９４としては、例えば、ＴＦＴを用いた液晶ディスプレイ、単純マトリックス型液晶ディスプレイ等の透過型ディスプレイを適用することができる。光源部９６としては、蛍光ライト、ハロゲンランプ、エレクトロルミネッセンス（ＥＬ）ライト等、画像表示媒体８０に光を照射できるものであれば適用できる。
【０１３３】
また、上述のように、パターン生成部９４と光源部９６とは別体に設けた構成としてもよいし、一体に設けた構成としてもよい。一体に設けた構成とする場合、例えば、ＥＬディスプレイ、ＣＲＴ、フィールドエミッションディスプレイ（ＦＥＤ）などの発光型ディスプレイ等が適用できる。これらの他にも、画像表示媒体８０に照射する光量、波長、及び、照射パターンを制御できる照明装置であれば、適用可能である。もちろん、光源は白色に限定されるわけではなく、フィルターを用いて得られる有色光とすることも可能である。
【０１３４】
駆動制御部９０は、制御部２４と接続されており、制御部２４から入力された画像データを表示用の画像データに変換すると共に、電圧印加部９２と光パターン照射部９３とを同期して制御する。
【０１３５】
具体的には、駆動制御部９０は、画像表示媒体８０に対する画像の書き込み指示があると、制御部２４から入力された画像データを表示用の画像データに変換して光パターン照射部９３に出力すると共に、駆動指示信号を電圧印加部９２に出力する。
【０１３６】
これにより、光パターン照射部９３から画像データに応じたパターンの光が画像表示媒体８０に照射される。この状態では画像は記録されないが、この状態で電圧印加部９２によりＩＴＯ電極８３に駆動パルスが供給されると、光導電層８４に、照射された光のパターンに応じたインピーダンス変化が生じ、表示層８８に画像に応じて選択的に電圧が印加される。これにより、画像表示媒体８０に画像が表示される。そして、電圧印加及び光の照射を停止した後も画像は保持される。
【０１３７】
なお、本実施形態では表示層８８にコレステリック液晶を用いた画像表示媒体を用いた場合について説明したが、これに限らず、コレステリック液晶をマイクロカプセル化したものを用いてもよく、ネマティック液晶などの他の液晶素子を用いた画像表示媒体を用いてもよい。
【０１３８】
また、本実施形態では光パターン照射部が記録部２８に搭載されているが、これに限られるものではなく、光パターン照射部がなくともかまわない。その場合は、画像表示媒体８０に照射する光パターンは、パーソナルコンピュータのディスプレイやプロジェクター等の光源を利用することで代用することができる。これにより、パーソナルコンピュータやプロジェクターにより表示されている画像をハードコピーすることができる。
【０１３９】
なお、上記実施形態では、記録部２８が表示装置１４側に設けられた場合について説明したが、記録部２８が接続部３２に設けられた構成としてもよく、記録部２８の一部が接続部３２に設けられた構成としてもよい。
【０１４０】
また、図１４に示すように、記録部２８が画像表示媒体１５側に設けられた構成としてもよい。さらに、記録部２８の一部が画像表示媒体１５側に設けられた構成としてもよい。
【０１４１】
【発明の効果】
以上説明したように、本発明によれば、メモリ性のある画像表示媒体に対して安全かつ確実に画像を記録することができる、という優れた効果を有する。
【図面の簡単な説明】
【図１】第１実施形態に係る画像記録装置の概略構成図である。
【図２】記録部の概略ブロック図である。
【図３】（Ａ）は、図２のＡ−Ａ断面図であり、（Ｂ）は、図２のＢ−Ｂ断面図である。
【図４】（Ａ）は、表示基板の平面図であり、（Ｂ）は、背面基板の平面図である。
【図５】着脱機構について説明するための図である。
【図６】着脱機構について説明するための図である。
【図７】着脱機構について説明するための図である。
【図８】第１実施形態に係る制御装置の制御部で実行される制御ルーチンのフローチャートである。
【図９】第１実施形態に係る表示装置の制御部で実行される制御ルーチンのフローチャートである。
【図１０】第２実施形態に係る画像記録装置の概略構成図である。
【図１１】第２実施形態に係る制御装置の制御部で実行される制御ルーチンのフローチャートである。
【図１２】第２実施形態に係る表示装置の制御部で実行される制御ルーチンのフローチャートである。
【図１３】第３実施形態に係る画像表示媒体の断面構成及び記録部の概略構成を示す図である。
【図１４】画像記録装置の他の形態を示すブロック図である。
【図１５】画像表示媒体及び記録部の他の形態を示す概略構成図である。
【符号の説明】
１０、７０          画像記録装置
１２  制御装置
１４  表示装置
１５、８０          画像表示媒体
１６、２４          制御部
１８、２６          送受信部
２０  操作部
２１、２９          表示部
２２、３０          メモリ
２８  記録部
３２  接続部
３４  着脱機構
３５  電極接続部
７２  接続検知部
【図１】
2004245865.tif 000003
【図２】
2004245865.tif 000004
【図３】
2004245865.tif 000005
【図４】
2004245865.tif 000006
【図５】
2004245865.tif 000007
【図６】
2004245865.tif 000008
【図７】
2004245865.tif 000009
【図８】
2004245865.tif 000010
【図９】
2004245865.tif 000011
【図１０】
2004245865.tif 000012
【図１１】
2004245865.tif 000013
【図１２】
2004245865.tif 000014
【図１３】
2004245865.tif 000015
【図１４】
2004245865.tif 000016
【図１５】
2004245865.tif 000017